Podtech/llm-jp-corpus-v4-ja_patent huggingface dataset:
【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
実行すべき処理を該処理を指示した利用者と対応づけて管理する管理手段と、
所定の指示を行なう指示手段と、
前記所定の指示がなされた場合に、当該指示を行なった利用者が以前に指示した処理で未実行の処理があるかを前記管理手段を参照して判断する判断手段と、
該判断手段により、未実行の処理があると判断された場合に、利用者に報知を行なう報知手段とを備えることを特徴とする情報処理装置。
【請求項２】
前記所定の指示はログアウトの指示であり、前記報知手段は、当該ログアウトの実行に先立って、利用者に報知を行なうことを特徴とする請求項１記載の情報処理装置。
【請求項３】
前記報知手段が、前記未実行の処理に識別子を付与した一覧を表示する表示手段を有することを特徴とする請求項１記載の情報処理装置。
【請求項４】
前記報知手段が、前記未実行の処理に識別子を付与した一覧を印刷出力する印刷手段を有することを特徴とする請求項１記載の情報処理装置。
【請求項５】
前記報知手段が、前記一覧に更に利用者の識別子を付与することを特徴とする請求項３または４記載の情報処理装置。
【請求項６】
外部の装置から利用者による処理の状態に関する問い合わせを処理に付与された識別子とともに受け付ける受け付け手段と、
該受け付け手段により受け付けた問い合わせに含まれる識別子が付与された処理に関する処理を実行する実行手段とを有することを特徴とする請求項１記載の情報処理装置。
【請求項７】
前記実行手段が前記識別子が付与された処理の実行状態を回答することを特徴とする請求項６記載の情報処理装置。
【請求項８】
前記問い合わせが前記識別子が付与された処理に対する操作の指示を含み、前記実行手段が当該操作を実行することを特徴とする請求項６記載の情報処理装置。
【請求項９】
前記受け付け手段が、電話による問い合わせを受け付けることを特徴とする請求項６記載の情報処理装置。
【請求項１０】
前記処理が、情報の読み取り、印刷または通信を含むことを特徴とする請求項１記載の情報処理装置。
【請求項１１】
実行すべき処理を該処理を指示した利用者と対応づけて管理する管理工程と、
所定の指示を行なう指示工程と、
前記所定の指示がなされた場合に、当該指示を行なった利用者が以前に指示した処理で未実行の処理があるかを前記管理工程で管理されるデータを参照して判断する判断工程と、
該判断工程により、未実行の処理があると判断された場合に、利用者に報知を行なう報知工程とを備えることを特徴とする情報処理方法。
【請求項１２】
実行すべき処理を該処理を指示した利用者と対応づけて管理する管理工程と、
所定の指示を行なう指示工程と、
前記所定の指示がなされた場合に、当該指示を行なった利用者が以前に指示した処理で未実行の処理があるかを前記管理工程で管理されるデータを参照して判断する判断工程と、
該判断工程により、未実行の処理があると判断された場合に、利用者に報知を行なう報知工程とを備えるプログラムを記憶したことを特徴とするプログラム記憶可能な記憶媒体。
【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
メールを受信する受信手段と、
受信したメールを、利用者が読んだか否かを識別して管理する管理手段と、
該管理手段により利用者が読んでいないメールが管理されている場合に、該当メールの個数に応じた表示態様で当該メールに関する情報を表示する表示手段とを備えることを特徴とする情報処理装置。
【請求項２】
前記表示手段が、該当メールが１つの場合に、メールの内容を表示することを特徴とする請求項１記載の情報処理装置。
【請求項３】
前記表示手段が、該当メールが所定数以下の複数個の場合に、メールのリストを表示することを特徴とする請求項１記載の情報処理装置。
【請求項４】
前記表示手段が、該当メールが所定数より多い場合に、メールの個数を表示することを特徴とする請求項１記載の情報処理装置。
【請求項５】
前記表示手段が、該当メールが前記所定数より多く、かつ同一の送信元からのメールが複数ある場合に、当該送信元と該送信元からのメールの個数とを表示することを特徴とする請求項４記載の情報処理装置。
【請求項６】
前記表示手段が、該当メールがない場合に、該当メールがないことを示すメッセージまたはメールの総数の少なくとも一方を表示することを特徴とする請求項１記載の情報処理装置。
【請求項７】
アクセス対象の装置を指定する指定手段と、
利用者のパスワードを入力する入力手段と、
前記指定手段により指定された装置へアクセスし、入力された前記パスワードを送信する送信手段と、
前記利用者の個人情報を要求する要求手段と、
該要求手段の要求に応じて送信された前記利用者の個人情報を出力する出力手段とを備えることを特徴とする情報処理装置。
【請求項８】
前記個人情報は、前記利用者の受信したメールであることを特徴とする請求項７記載の情報処理装置。
【請求項９】
前記個人情報は、前記利用者のスケジュール情報であることを特徴とする請求項７記載の情報処理装置。
【請求項１０】
前記出力手段が、前記個人情報を表示することを特徴とする請求項７記載の情報処理装置。
【請求項１１】
前記出力手段が、前記個人情報を印刷することを特徴とする請求項７記載の情報処理装置。
【請求項１２】
情報に対して施された処理の種類に基づいた分類で情報のファイルを記憶するファイル記憶手段と、
記憶対象の情報に施された処理の種類を判別する判別手段と、
該判別手段により判別された種類に基づいた分類で、前記記憶対象の情報のファイルを前記ファイル記憶手段に記憶する記憶制御手段とを備えることを特徴とする情報処理装置。
【請求項１３】
前記ファイル記憶手段が、入力または受信した情報のファイルを第１のフォルダに記憶し、出力または送信した情報のファイルを第２のフォルダに記憶することを特徴とする請求項１２記載の情報処理装置。
【請求項１４】
情報の印刷処理または読取処理を行なう処理手段を有することを特徴とする請求項１２記載の情報処理装置。
【請求項１５】
処理指示命令に基づいて処理を実行する実行手段と、
処理指示命令を複数記憶可能な処理指示命令記憶手段と、
処理指示命令の属性に関する検索条件を指定する検索条件指定手段と、
該検索条件指定手段により指定された検索条件に基づいて、前記処理指示命令記憶手段より処理指示命令を検索する検索手段とを備えることを特徴とする情報処理装置。
【請求項１６】
前記処理指示命令記憶手段が、処理指示命令の属性として、処理指示命令の名称、処理に関わる装置または利用者名、処理に関する時刻、処理の種類の少なくとも１つを記憶することを特徴とする請求項１５記載の情報処理装置。
【請求項１７】
情報の印刷処理または読取処理を行なう処理手段を有することを特徴とする請求項１５記載の情報処理装置。
【請求項１８】
メールを受信する受信工程と、
受信したメールを、利用者が読んだか否かを識別して管理する管理工程と、
該管理工程により利用者が読んでいないメールが管理されている場合に、該当メールの個数に応じた表示態様で当該メールに関する情報を表示する表示工程とを備えることを特徴とする情報処理方法。
【請求項１９】
アクセス対象の装置を指定する指定工程と、
利用者のパスワードを入力する入力工程と、
前記指定工程により指定された装置へアクセスし、入力された前記パスワードを送信する送信工程と、
前記利用者の個人情報を要求する要求工程と、
該要求の要求に応じて送信された前記利用者の個人情報を出力する出力工程とを備えることを特徴とする情報処理方法。
【請求項２０】
記憶対象の情報に施された処理の種類を判別する判別工程と、
情報に対して施された処理の種類に基づいた分類で情報のファイルを記憶するファイル記憶部に対して、前記判別工程により判別された種類に基づいた分類で、前記記憶対象の情報のファイルを記憶するファイル記憶工程とを備えることを特徴とする情報処理方法。
【請求項２１】
処理指示命令に基づいて処理を実行する実行工程と、
処理指示命令の属性に関する検索条件を指定する検索条件指定工程と、
該検索条件指定工程により指定された検索条件に基づいて、処理指示命令を複数記憶可能な処理指示命令記憶部より処理指示命令を検索する検索工程とを備えることを特徴とする情報処理方法。
【請求項２２】
メールを受信する受信工程と、
受信したメールを、利用者が読んだか否かを識別して管理する管理工程と、
該管理工程により利用者が読んでいないメールが管理されている場合に、該当メールの個数に応じた表示態様で当該メールに関する情報を表示する表示工程とを備えるプログラムを記憶したことを特徴とするプログラムを記憶可能な記憶媒体。
【請求項２３】
アクセス対象の装置を指定する指定工程と、
利用者のパスワードを入力する入力工程と、
前記指定工程により指定された装置へアクセスし、入力された前記パスワードを送信する送信工程と、
前記利用者の個人情報を要求する要求工程と、
該要求の要求に応じて送信された前記利用者の個人情報を出力する出力工程とを備えるプログラムを記憶したことを特徴とするプログラムを記憶可能な記憶媒体。
【請求項２４】
記憶対象の情報に施された処理の種類を判別する判別工程と、
情報に対して施された処理の種類に基づいた分類で情報のファイルを記憶するファイル記憶部に対して、前記判別工程により判別された種類に基づいた分類で、前記記憶対象の情報のファイルを記憶するファイル記憶工程とを備えるプログラムを記憶したことを特徴とするプログラムを記憶可能な記憶媒体。
【請求項２５】
処理指示命令に基づいて処理を実行する実行工程と、
処理指示命令の属性に関する検索条件を指定する検索条件指定工程と、
該検索条件指定工程により指定された検索条件に基づいて、処理指示命令を複数記憶可能な処理指示命令記憶部より処理指示命令を検索する検索工程とを備えるプログラムを記憶したことを特徴とするプログラムを記憶可能な記憶媒体。
【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
メモリ手段にアクセスするための装置であって、
前記メモリ手段に接続可能な反復開始バッファであって、反復してアクセスすべきデータシーケンスが最初にアクセスされている間、同時に、該反復してアクセスすべきデータシーケンスのはじめの部分をバッファするための反復開始バッファと、
前記メモリ手段に接続可能であると共に前記反復開始バッファに接続され、該メモリ手段および該反復開始バッファの間を切り換える反復切換ユニットであって、前記反復してアクセスすべきデータシーケンスのバッファされた前記はじめの部分をアクセスするため、該反復開始バッファに切り換えることができる反復切換ユニットと、
を備える、装置。
【請求項２】
前記反復開始バッファの記憶容量は、前記メモリ手段の待ち時間に従って選択される、
請求項１に記載の装置。
【請求項３】
それぞれが前記メモリ手段に接続可能である、データシーケンスをバッファするための第１のデータバッファおよび第２のデータバッファと、
前記第１のデータバッファおよび前記第２のデータバッファに接続され、該第１のデータバッファおよび該第２のデータバッファの間を切り換えるためのジャンプ切換ユニットと、を備え、
連続的にアクセスすべきデータシーケンスのはじめの部分をバッファするため、前記第１および第２のデータバッファのうちの一方のデータバッファのアイドル・メモリアクセス時間の間、該第１および第２のデータバッファのうちの他方のデータバッファに、前記メモリ手段がアクセスすることができるようにする、
装置。
【請求項４】
前記第１のデータバッファに接続されると共に前記メモリ手段に接続可能な第１の反復切換ユニット（１１０ａ）であって、該第１のデータバッファおよび該メモリ手段との間を切り換えるための第１の反復切換ユニットと、
前記第２のデータバッファに接続されると共に前記メモリ手段に接続可能な第２の反復切換ユニット（１１０ｂ）であって、該第２のデータバッファおよび該メモリ手段との間を切り換えるための第２の反復切換ユニットと、を備え、
前記第１のデータバッファおよび前記第２のデータバッファは、反復してアクセスすべきデータシーケンスのはじめの部分をバッファするようそれぞれ構成されており、
さらに、該装置は、前記第１の反復切換ユニットおよび前記第２の反復切換ユニットに接続され、該第１および第２の反復切換ユニットの間を切り換えるためのジャンプ切換ユニット（２１０）を備える、
請求項３に記載の装置。
【請求項５】
さらに、
前記第１のデータバッファに接続され、反復してアクセスすべきデータシーケンスのはじめの部分をバッファするための第１の反復開始バッファ（１００ａ）と、
前記第１のデータバッファおよび前記第１の反復開始バッファに接続され、該第１のデータバッファおよび該第１の反復開始バッファの間を切り換えるための第１の反復切換ユニット（１１０ａ）であって、前記反復してアクセスすべきデータシーケンスのバッファされた該はじめの部分をアクセスするため、該第１の反復開始バッファに切り換え可能である反復切換ユニットと、
を備える、請求項３に記載の装置。
【請求項６】
前記第２のデータバッファに接続され、反復してアクセスすべきデータシーケンスの他のはじめ部分をバッファするための第２の反復開始バッファ（１００ｂ）と、
前記第２のデータバッファおよび前記第２の反復開始バッファに接続され、該第２のデータバッファおよび該第２の反復開始バッファとの間を切り換えるための第２の反復切換ユニット（１１０ｂ）であって、該反復してアクセスすべきデータシーケンスのバッファされた該他のはじめの部分をアクセスするため、該第２の反復開始バッファに切換可能な第２の反復切換ユニットと、
を備える、請求項４に記載の装置。
【請求項７】
前記メモリ手段と、前記第１および第２のデータバッファとの間のデータ転送は、該第１および第２のデータバッファと前記ジャンプ切換ユニットとの間のデータ転送よりも高速である、
請求項３または４に記載の装置。
【請求項８】
請求項１から請求項３のいずれかに従う装置の、試験システム、好ましくはＩＣテスターへの使用。
【請求項９】
データシーケンスを読み出しまたは書き込むためのメモリ手段に反復してアクセスするため方法であって、
（ａ）第１のアクセスサイクルの間、（ａ１）前記メモリ手段にアクセスすると同時に、（ａ２）反復開始バッファにデータシーケンスのはじめの部分をバッファするステップと、
（ｂ）それぞれの連続したアクセスサイクルの間、（ｂ１）前記反復開始バッファから、前記データシーケンスのバッファされたはじめの部分を最初にアクセスし、（ｂ２）前記メモリ手段へのデータ接続を、前記バッファされたデータシーケンスに後続するアドレスに設定し、（ｂ３）前記メモリ手段から、さらなるデータをアクセスするステップと、
を含む、方法。
【請求項１０】
メモリ手段における異なる領域にアクセスするための方法であって、
（ａ）データ接続を使用して、第１の領域から第１のデータシーケンスを読み出し、または第１の領域に第１のデータシーケンスを書き込むステップと、
（ｂ）前記データ接続のアイドル時間の間、第２の領域からの第２のデータシーケンスのはじめの部分、または該第２の領域に書き込むための第２のシーケンスのはじめの部分を、第１のデータバッファ（２００ｂ）にバッファするステップと、
（ｃ）前記第２の領域にジャンプした後、（ｃ１）前記第１のデータバッファから、前記第２のデータシーケンスのバッファされたはじめの部分を読み出し、（ｃ２）該第１のデータバッファにバッファされたデータシーケンスに後続するアドレスに、前記第２の領域のデータ接続を設定し、（ｃ３）該データ接続を使用して、該第２の領域から前記第２のデータシーケンスのさらなるデータを読み出し、または該第２の領域に該第２のデータシーケンスのさらなるデータを書き込むステップと、
を含む、方法。
【請求項１１】
前記ステップ（ａ）は、さらに、
（ａ１）第２のデータバッファ（２００ａ）に、前記第１のデータシーケンスをバッファするステップと、
（ａ２）前記第２のデータバッファからの前記第１のデータシーケンスを読み出し、または書き込むステップと、
を含む、請求項１０に記載の方法。
【請求項１２】
前記ステップ（ｃ３）は、さらに、
（ｃ４）前記データ接続のアイドル時間の間、他の領域からの、または他の領域に書き込むための、連続したデータシーケンスのはじめの部分を、前記第２のデータバッファにバッファするステップを含む、
請求項１０または１１に記載の方法。
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
一対のリールを載置する一対のリール台と、
前記一対のリール台にそれぞれ設けられ、複数の歯を有しており前記リール台を回転させるための駆動力を外部から受けるギアと、
前記一対のリール台の一方に設けられた前記ギアの複数の歯の歯先に接触、摺動させることが可能な樹脂で形成されたシューを有する第１のブレーキ部材と、
前記第１のブレーキ部材のシューを前記複数の歯に当接させる方向に付勢する付勢部材と、
を含むことを特徴とするリール台装置。
【請求項２】
前記シューの曲率半径は、前記ギアの歯先円半径よりも大きいことを特徴とする請求項１に記載のリール台装置。
【請求項３】
前記第１のブレーキ部材は、前記付勢部材の付勢力に抗して回動した際に、前記ギアの複数の歯における歯間に係合するロック部を有することを特徴とする請求項１に記載のリール台装置。
【請求項４】
前記第１のブレーキ部材は、前記シューと前記ロック部とが一体成形により形成されていることを特徴とする請求項３に記載のリール台装置。
【請求項５】
前記一対のリール台の他方に設けられた前記ギアの複数の歯における歯間に係合するロック部を有する第２のブレーキ部材を、さらに含むことを特徴とする請求項１に記載のリール台装置。
【請求項６】
前記第２のブレーキ部材のロック部が前記他方のリール台のギアに係合している際に、前記第１のブレーキ部材のシューが前記一方のリール台のギアの歯先に当接することを特徴とする請求項５に記載のリール台装置。
【請求項７】
前記リールからテープが引き出される際に、前記シューが前記ギアの歯先に当接することを特徴とする請求項１に記載のリール台装置。
【請求項８】
一対のリールを載置する一対のリール台と、
前記一対のリール台にそれぞれ設けられ、複数の歯を有しており前記リール台を回転させるための駆動力を外部から受けるギアと、
前記一対のリール台の一方に設けられた前記ギアの複数の歯の歯先に接触可能なシューと、前記シューが前記歯先から離れる方向に移動した際に前記の複数の歯における歯間に係合するロック部を有する第１のブレーキ部材と、
前記第１のブレーキ部材のシューを前記複数の歯に当接させる方向に付勢する付勢部材と、
を含むことを特徴とするリール台装置。
【請求項９】
前記シューの曲率半径は、前記ギアの歯先円半径よりも大きいことを特徴とする請求項８に記載のリール台装置。
【請求項１０】
前記第１のブレーキ部材は、前記シューと前記ロック部とが一体成形により形成されていることを特徴とする請求項８に記載のリール台装置。
【請求項１１】
前記一対のリール台の他方に設けられた前記ギアの複数の歯における歯間に係合するロック部を有する第２のブレーキ部材を、さらに含むことを特徴とする請求項８に記載のリール台装置。
【請求項１２】
前記第２のブレーキ部材のロック部が前記他方のリール台のギアに係合している際に、前記第１のブレーキ部材のシューが前記一方のリール台のギアの歯先に当接することを特徴とする請求項１１に記載のリール台装置。
【請求項１３】
前記リールからテープが引き出される際に、前記シューが前記ギアの歯先に当接することを特徴とする請求項８に記載のリール台装置。
【請求項１４】
テープに対して情報の記録または再生を行うためのヘッドを有する回転ドラム装置と、
前記テープを収納するカセットを装着し、該カセットを前記回転ドラム装置に対して進退可能に支持するカセット載置部材と、
前記カセット載置部材のカセット装着部に配置された請求項１〜１３のいずれか１項に記載のリール台装置と、
前記テープを前記カセットから引き出して、該テープを所定テープパスに沿って走行させるようにしたテープガイド部材と、
を備えたことを特徴とする記録または再生装置。
【手続補正２】
【補正対象書類名】明細書
【補正対象項目名】０００６
【補正方法】変更
【補正の内容】
【０００６】
【課題を解決するための手段】
本発明によるリール台装置は、一対のリールを載置する一対のリール台と、前記一対のリール台にそれぞれ設けられ、複数の歯を有しており前記リール台を回転させるための駆動力を外部から受けるギアと、前記一対のリール台の一方に設けられた前記ギアの複数の歯の歯先に接触、摺動させることが可能な樹脂で形成されたシューを有する第１のブレーキ部材と、前記第１のブレーキ部材のシューを前記複数の歯に当接させる方向に付勢する付勢部材と、を含むものである。
【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
読み取った画像データを複数の出力宛先に出力する画像読取装置であって、
複数の出力宛先毎に画像読み取りパラメータを記憶する記憶手段と、
前記記憶手段に記憶された画像読み取りパラメータの中から複数の出力宛先それぞれに適合した１以上の共通パラメータを判定する判定手段と、
前記判定手段によって判定された共通パラメータの中から１つを選択する選択手段と、
前記選択手段により選択されたパラメータに従って画像の読み取りを行う読取手段と、
前記読取手段により読み取った画像データを各出力宛先に出力する出力手段とを有することを特徴とする画像読取装置。
【請求項２】
前記画像の読み取りパラメータは、画像フォーマットであることを特徴とする請求項１記載の画像読取装置。
【請求項３】
前記画像の読み取りパラメータは、解像度であることを特徴とする請求項１記載の画像読取装置。
【請求項４】
前記出力手段は、ネットワークを介して接続されている複数の出力宛先に読み取った画像データを出力することを特徴とする請求項１記載の画像読取装置。
【請求項５】
読み取った画像データを複数の出力宛先に出力する画像読取方法であって、
複数の出力宛先毎に画像読み取りパラメータを記憶手段に記憶する記憶工程と、
前記記憶手段に記憶された画像読み取りパラメータの中から複数の出力宛先それぞれに適合した１以上の共通パラメータを判定する判定工程と、
前記判定工程で判定した共通パラメータの中から１つを選択する選択工程と、
前記選択工程で選択したパラメータに従って画像の読み取りを行う読取工程と、
前記読取工程で読み取った画像データを各出力宛先に出力する出力工程とを有することを特徴とする画像読取方法。
【請求項６】
前記画像の読み取りパラメータは、画像フォーマットであることを特徴とする請求項５記載の画像読取方法。
【請求項７】
前記画像の読み取りパラメータは、解像度であることを特徴とする請求項５記載の画像読取方法。
【請求項８】
前記出力工程は、ネットワークを介して接続されている複数の出力宛先に読み取った画像データを出力することを特徴とする請求項５記載の画像読取方法。
【請求項９】
請求項５記載の画像読取方法をコンピュータに実行させるためのプログラムを記録したコンピュータ読み取り可能な記録媒体。
【手続補正２】
【補正対象書類名】明細書
【補正対象項目名】０００６
【補正方法】変更
【補正の内容】
【０００６】
【課題を解決するための手段】
上記目的を達成するために、本発明は、読み取った画像データを複数の出力宛先に出力する画像読取装置であって、複数の出力宛先毎に画像読み取りパラメータを記憶する記憶手段と、前記記憶手段に記憶された画像読み取りパラメータの中から複数の出力宛先それぞれに適合した１以上の共通パラメータを判定する判定手段と、前記判定手段によって判定された共通パラメータの中から１つを選択する選択手段と、前記選択手段により選択されたパラメータに従って画像の読み取りを行う読取手段と、前記読取手段により読み取った画像データを各出力宛先に出力する出力手段とを有することを特徴とする。
【手続補正３】
【補正対象書類名】明細書
【補正対象項目名】００１０
【補正方法】変更
【補正の内容】
【００１０】
また、上記目的を達成するために、本発明は、読み取った画像データを複数の出力宛先に出力する画像読取方法であって、複数の出力宛先毎に画像読み取りパラメータを記憶手段に記憶する記憶工程と、前記記憶手段に記憶された画像読み取りパラメータの中から複数の出力宛先それぞれに適合した１以上の共通パラメータを判定する判定工程と、前記判定工程で判定した共通パラメータの中から１つを選択する選択工程と、前記選択工程で選択したパラメータに従って画像の読み取りを行う読取工程と、前記読取工程で読み取った画像データを各出力宛先に出力する出力工程とを有することを特徴とする。
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】
少なくとも１個のメモリカードを電子装置に対してローディング及び／又はアンローディングするローディング機構において、
前記メモリカードをエジェクト位置と中間位置との間で移送する第１移送機構と、
前記メモリカードを前記中間位置と動作位置との間で移送する第２移送機構と、
前記２個の移送機構を駆動する駆動ユニットと
を具えるメモリカードローディング機構において、
前記中間位置と前記動作位置との間での前記メモリカードの移送のため、前記第２移送機構をリードねじ伝動装置によって前記駆動ユニットに連結可能にしたことを特徴とするメモリカードローディング機構。
【請求項２】
前記第１移送機構は、少なくとも１個の駆動ローラを担持する駆動シャフトを有し、前記駆動ローラにより前記メモリカードを前記エジェクト位置と前記中間位置との間での移送を行い、このメモリカードを前記エジェクト位置と前記中間位置との間での移送中は、前記駆動ローラは前記メモリカードには不確実な状態で連結するものとした請求項１記載のメモリカードローディング機構。
【請求項３】
前記リードねじ伝動装置を前記駆動シャフトに取り付けた請求項２記載のメモリカードローディング機構。
【請求項４】
前記駆動シャフトにねじ山を設け、連結ナットを前記駆動シャフトに軸線方向に移動自在に取り付け、前記メモリカードの位置に基づいて、駆動ローラを不確実な状態で若しくは確実な状態で前記駆動シャフトに連結したり、又は前記連結ナットをねじ山に掛合させて前記連結ナット及びねじ山がリードねじ伝動装置をなすようにした連結機構を設けた請求項３記載のメモリカードローディング機構。
【請求項５】
前記第２移送機構に移送スライドを設け、この移送スライドを介して前記連結機構としての連結レバーを前記リードねじ伝動装置に連結できるようにし、前記移送スライドを前記中間位置と前記動作位置との間で前記駆動ユニット、前記リードねじ伝動装置及び前記連結レバーによって移動可能にし、前記移送スライドは前記メモリカードに確実な状態で連結する構成とした請求項５記載のメモリカードローディング機構。
【請求項６】
前記移送スライドに、前記メモリカードを前記中間位置から前記動作位置に移送する後方止め端縁と、前記メモリカードを前記動作位置から前記中間位置に移送する前方止め端縁を設けた請求項５記載のメモリカードローディング機構。
【請求項７】
前記移送スライドは２個の部分即ち、前方部分及び後方部分を有し、前記後方部分を前記前方部分に回動自在に取り付け、前記後方部分には前記後方止め端縁を設け、前記前方部分に前方止め端縁を設け、前記後方止め端縁を有する前記後方部分を、前記移送スライドのローディング方向への移動中に案内部材によって前記メモリカードの方向に回動可能にし、また前記移送スライドのローディング方向とは反対方向への移動中に前記メモリカードから離れる方向に回動可能とした請求項５記載のメモリカードローディング機構。
【請求項８】
前記駆動ローラを前記駆動シャフトに回転自在に取り付け、前記メモリカードを前記エジェクト位置と前記中間位置との間で移送するために、前記駆動ローラが摩擦連結又はつめ連結によって前記駆動シャフトに連結可能にした請求項２記載のメモリカードローディング機構。
【請求項９】
メモリカードに記憶した情報を読み取るため及び／又はメモリカードに情報を書き込むため、
前記メモリカードとの接触を生ずるコネクタ素子と、
前記メモリカードをエジェクト位置と中間位置との間で移送する第１移送機構、前記メモリカードを前記中間位置と動作位置との間で移送する第２移送機構、及び前記２個の移送機構を駆動する駆動ユニットを有するメモリカードローディング機構と
を具えた電子装置において、
前記中間位置と前記動作位置との間の前記メモリカードの移送のため、前記第２移送機構をリードねじ伝動装置によって前記駆動ユニットに連結可能にしたことを特徴とする電子装置。
【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
パスワードを認証するパスワード処理装置において、
パスワードを構成する文字・記号列と各文字・記号間の時間間隔を登録するテーブルと、
入力されたパスワードの文字・記号列と上記テーブルに登録されている文字・記号列とを比較して一致し、かつ各文字・記号列の入力時間間隔と上記テーブルに登録されている時間間隔範囲とを比較して一致したときに正しいパスワードと認証する手段と
を備えたことを特徴とするパスワード処理装置。
【請求項２】
正しいパスワードの文字・記号列の入力が行われたときに、上記テーブルに登録されている各文字・記号間の時間間隔について、今回の時間間隔を含めて再計算を行い更新することを特徴とする請求項１記載のパスワード処理装置。
【請求項３】
入力されたパスワードの文字・記号列と上記テーブルに登録されている文字・記号列とを比較して一致したが、各文字・記号列の入力時間間隔が上記テーブルに登録されている時間間隔をもとに正しいパスワードと判定されなかった場合に、入力された第２のパスワードの文字・記号列が上記テーブルに登録されている第２のパスワードの文字・記号列と一致したときに正しいパスワードと認証することを特徴とする請求項１あるいは請求項２記載のパスワード処理装置。
【請求項４】
コンピュータに、
入力されたパスワードの文字・記号列と予め登録されている文字・記号列とを比較し、
前記入力されたパスワードの各文字・記号列の入力時間間隔と予め登録されている時間間隔範囲とを比較し、
前記文字・記号列の比較と前記時間間隔の比較の双方が一致したときに前記入力されたパスワードを正しいパスワードと認証する、
ことを実行させるためのプログラムを格納するコンピュータ読取可能な記録媒体。
【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
記録または再生機構と、この機構を装置本体へ取付固定するフレームとを備えた記録または再生装置であって、
前記記録または再生機構は、回転ドラム装置を搭載する固定のメインシャーシと、カセット装着機構を搭載し、前記メインシャーシにスライド自在に支持されたスライドシャーシと、を含み、
前記メインシャーシによる前記スライドシャーシの支持部と、前記フレームによる前記記録または再生機構の取付固定部とが同軸上に配置されることを特徴とする記録または再生装置。
【請求項２】
請求項１に記載の記録または再生装置において、
複数の支持部と複数の取付固定部を有し、これらの少なくとも一部が同軸上に配置されることを特徴とする記録または再生装置。
【請求項３】
前記スライドシャーシはその支持部にて支軸を介して前記メインシャーシ上に支持され、該支軸の所定部位に前記フレームを取付固定することを特徴とする請求項１または２に記載の記録または再生装置。
【請求項４】
前記スライドシャーシの支持部と前記メインシャーシ取付固定部が前記支軸を介して同軸に配置されることを特徴とする請求項３に記載の記録または再生装置。
【手続補正２】
【補正対象書類名】明細書
【補正対象項目名】００１４
【補正方法】変更
【補正の内容】
【００１４】
【課題を解決するための手段】
本発明による記録または再生装置は、記録または再生機構と、この機構を装置本体へ取付固定するフレームとを備えた記録または再生装置であって、前記記録または再生機構は、回転ドラム装置を搭載する固定のメインシャーシと、カセット装着機構を搭載し、前記メインシャーシにスライド自在に支持されたスライドシャーシと、を含み、前記メインシャーシによる前記スライドシャーシの支持部と、前記フレームによる前記記録または再生機構の取付固定部とが同軸上に配置されることを特徴とする。
【手続補正３】
【補正対象書類名】明細書
【補正対象項目名】００１５
【補正方法】変更
【補正の内容】
【００１５】
また、本発明の記録または再生装置において、複数の支持部と複数の取付固定部を有し、これらの少なくとも一部が同軸上に配置されることを特徴とする。
また、本発明の記録または再生装置において、前記スライドシャーシはその支持部にて支軸を介して前記メインシャーシ上に支持され、該支軸の所定部位に前記フレームを取付固定することを特徴とする。
また、本発明の記録または再生装置において、前記スライドシャーシの支持部と前記メインシャーシ取付固定部が前記支軸を介して同軸に配置されることを特徴とする。
【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
ディスクドライブのヘッドを位置決めするボイスコイルへ駆動電流を供給する方法であって、
前記ボイスコイルへ供給される第１電流を測定するステップと、
該第１電流をミラー動作させて、該第１電流に比例するセンス電流を供給するステップと、
前記ヘッドを所望位置に近づくように位置決めするために、前記センス電流を用いて帰還回路における前記第１電流の大きさを加減するステップと、
前記ヘッドを前記所望位置へさらに接近するように位置決めするための所望の大きさにさらに等しくなるように前記センス電流を調整するステップと、
を含む前記方法。
【請求項２】
ディスクドライブシステムのヘッドを位置決めするボイスコイルを動作させるために接続される回路であって、
前記ボイスコイル内に流れる電流を制御するドライバ回路と、
それぞれの電流経路における電流を検知すると共に制御する複数のセンス電流回路と、
前記センス電流回路の少なくとも１つを調整するために接続されるプログラム可能な回路であって、前記ヘッドを所望位置へ位置決めするために前記ボイスコイル内に流れる電流を制御する前記プログラム可能な回路と、
を含んだ前記ボイスコイルを動作させるために接続される回路。
【手続補正２】
【補正対象書類名】明細書
【補正対象項目名】０００１
【補正方法】変更
【補正の内容】
【０００１】
【発明の属する技術分野】
本発明は、コンピュータシステムなどに用いるタイプのディスクドライブにおける読書きヘッドの移動に用いるタイプのボイスコイルのためのドライバ回路および方法の改善に関し、特に、ディスクドライブシステムにおけるボイスコイルのためのパワードライバトランジスタにおける電流を検知する回路および方法の改善に関し、さらに特に、ディスクドライブシステムにおけるボイスコイルのための、またそれにより制御されるヘッドの位置決めのための、電流センシングの正確度（精度）改善用の回路および方法に関する。
【手続補正３】
【補正対象書類名】明細書
【補正対象項目名】００２８
【補正方法】変更
【補正の内容】
【００２８】
電流センシング回路の詳細は、ここで図３の電流センシング回路９０をさらに参照することにより示される。図３に示されているドライバ回路の部分は、図１における側Ａの部分に対応し、ノード４６の上下の電流経路２６の電流を鏡映する電流鏡映（ミラー）回路９２を示す。さらに詳述すると、ミラー回路９２は、高側および低側ドライバトランジスタ３０および３４のそれぞれのドレインおよびゲートに接続されたドレインおよびゲートを有するミラートランジスタ９６および９８を含む。高側ドライバトランジスタ３０のソースは、増幅器１００によりミラートランジスタ９６のソースに接続されている。同様にして、低側ドライバトランジスタ３４のソースは、増幅器１０２によりミラートランジスタ９８のソースに接続されている。ドライバトランジスタ３０および３４の幅対長さ比は、約２０，０００：０．８であり、ミラートランジスタ９６および９８の幅対長さ比は、約１０：０．８である。
【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】
複数の磁極を備えた回転子と、
前記複数の磁極が磁化されることによって交流電圧を発生する固定子と、
前記交流電圧を整流して出力するものであって、複数の正極側整流素子及び複数の負極側整流素子によって構成された整流回路と、
前記固定子を固定するものであって、前記固定子を冷却するための第１冷却水路が設けられたハウジングと、
前記回転子の軸方向端部と対向する部位に配置され、前記整流回路を冷却するための第２冷却水路を構成する第１部材と、
前記第２冷却水路を構成する第２部材とを有し、
少なくとも前記複数の負極側整流素子は前記第２部材に設けられて冷却される
ことを特徴とする車両用交流発電機。
【請求項２】
請求項１に記載の車両用交流発電機において、
前記複数の正極側整流素子が設けられた冷却フィンと、
該冷却フィンを絶縁するための絶縁部材とを有し、
前記冷却フィンは前記絶縁部材を介して前記第２部材上に設けられている
ことを特徴とする車両用交流発電機。
【請求項３】
請求項１に記載の車両用交流発電機において、
前記複数の正極側整流素子を絶縁するための絶縁部材を有し、
前記複数の正極側整流素子は、前記絶縁部材を介して前記第２部材に設けられて冷却される
ことを特徴とする車両用交流発電機。
【請求項４】
請求項１に記載の車両用交流発電機において、
前記第２部材の外側に配置されて前記第２冷却水路に接したブラケットと、
前記整流回路を覆う良熱伝導体とを有し、
前記整流回路は前記良熱伝導体を介して前記ブラケットに接している
ことを特徴とする車両用交流発電機。
【請求項５】
請求項１に記載の車両用交流発電機において、
前記第１部材には、前記界磁巻線の巻線厚み以上の厚みを有する冷却促進部が設けられている
ことを特徴とする車両用交流発電機。
【請求項６】
請求項５に記載の車両用交流発電機において、
前記回転子のシャフトを支持するベアリングを有し、
前記冷却促進部は、前記ベアリングのリテーナを兼ねている
ことを特徴とする車両用交流発電機。
【請求項７】
請求項５に記載の車両用交流発電機において、
前記界磁巻線は口出し線を備えており、
前記口出し線は前記回転子のコア側面に埋め込まれている
ことを特徴とする車両用交流発電機。
【請求項８】
請求項１に記載の車両用交流発電機において、
前記整流器は、前記整流回路と前記固定子の巻線とを電気的に接続するためのターミナルを備えており、
前記ターミナルは銅又は銅合金のものである
ことを特徴とする車両用交流発電機。
【請求項９】
請求項１に記載の車両用交流発電機において、
前記固定子及び前記回転子の軸方向両側を覆う２つのブラケットを有し、
前記２つのブラケットのうち、少なくとも１つのブラケットには、前記固定子の巻線とほぼ同じ外径の開口部が設けられている
ことを特徴とする車両用交流発電機。
【手続補正２】
【補正対象書類名】明細書
【補正対象項目名】０００９
【補正方法】変更
【補正の内容】
【０００９】
【課題を解決するための手段】
本発明は、回転子の軸方向端部と対向する部位に配置された第１部材と、第２部材とをもって、整流回路を冷却するための冷却水路を構成し、整流回路を構成する複数の整流素子のうち、少なくとも負極側整流素子を第２部材に設けて冷却するようにしたことを特徴とする。
【手続補正３】
【補正対象書類名】明細書
【補正対象項目名】００１０
【補正方法】変更
【補正の内容】
【００１０】
また、本発明は、固定子及び回転子の軸方向両側を覆う２つのブラケットのうち、少なくとも１つのブラケットに、固定子の巻線とほぼ同じ外径の開口部を設けたことを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正書】
【提出日】平成17年9月1日(2005.9.1)
【手続補正１】
【補正対象書類名】明細書
【補正対象項目名】００２４
【補正方法】変更
【補正の内容】
【００２４】
この電圧（VB−E）は、寄生インダクタンスLSを表すインダクタ１５にも印加されるので、（VB−E）／LSの勾配で電流は立ち上がり、急激に増大していく。インダクタ１４の電流がゲート電流と等しくなる時刻t2で、オフ用スイッチング素子１６のブレークダウンは止まり、このスイッチング素子には電流が流れなくなるので、電力用半導体スイッチ１２のゲート電流だけを流すようになる。このように、オフ用のスイッチング素子１６がブレークダウンしている期間が、ゲート電流の上昇期間となる。
【手続補正２】
【補正対象書類名】明細書
【補正対象項目名】００４２
【補正方法】変更
【補正の内容】
【００４２】
次に、時刻ｔ１において制御信号Ｓが立ち下がると、その反転信号
2001086733.tif 000001
が立ち上がり、一方時刻ｔ０で急速充電されたコンデンサ２５は抵抗２２により放電され、時刻ｔ５で閾値に達するまでは「１」とみなされるため、ＮＡＮＤ回路２４の出力信号は「０」へ変化し、オフ用スイッチング素子１６をオフとする。これにより時刻ｔ１まで充電されていたコンデンサ２９は抵抗２６により放電され、時刻ｔ４で閾値に達するまでは「１」とみなされるためＮＡＮＤ回路２８の出力信号が「０」へ変化し、オン用スイッチング素子１３をオフとする。
【手続補正３】
【補正対象書類名】図面
【補正対象項目名】図６
【補正方法】変更
【補正の内容】
【図６】
2001086733.tif 000002
【手続補正書】
【提出日】平成16年2月10日(2004.2.10)
【手続補正１】
【補正対象書類名】明細書
【補正対象項目名】特許請求の範囲
【補正方法】変更
【補正の内容】
【特許請求の範囲】
【請求項１】
直交周波数分割多重信号を複数のアンテナで受信するデジタル放送受信機において、
前記複数のアンテナで受信された信号の可変遅延手段と、
前記可変遅延手段からの信号を合成する合成手段と、
該合成された信号を復調する直交周波数分割多重信号復調手段と、
該復調された信号を復号する復号手段と、を具備し、
前記可変遅延手段は、別途入力された制御信号により、遅延時間の変化する速度を制御することを特徴とするデジタル放送受信機。
【請求項２】
同一の局を選局する複数の選局手段と、
前記複数の選局手段に共通の単一の局部発振手段と、を備えることを特徴とする請求項１に記載のデジタル放送受信機。
【請求項３】
前記可変遅延手段は、誘電体素子で構成され、電圧制御で誘電率を変化させることを特徴とする請求項１または請求項２に記載のデジタル放送受信機。
【請求項４】
前記複数のアンテナからの各ブランチ信号をＤＦＴ前に合成し、ＤＦＴ後の信号対ノイズ比が最大になるように重み係数を求める係数計算手段を備えることを特徴とする請求項１、請求項２または請求項３に記載のデジタル放送受信機。
【請求項５】
前記係数計算手段は、前記複数のアンテナからの受信信号の共分散行列を求め、その行列の最大の固有値に対する固有ベクトルを重み係数とすることを特徴とする請求項４に記載のデジタル放送受信機。
【手続補正２】
【補正対象書類名】明細書
【補正対象項目名】００２４
【補正方法】変更
【補正の内容】
【００２４】
本願の第１の発明は、直交周波数分割多重信号を複数のアンテナで受信するデジタル放送受信機において、前記複数のアンテナで受信された信号の可変遅延手段と、前記可変遅延手段からの信号を合成する合成手段と、該合成された信号を復調する直交周波数分割多重信号復調手段と、該復調された信号を復号する復号手段と、を具備し、前記可変遅延手段は、別途入力された制御信号により、遅延時間の変化する速度を制御することを特徴とする。


【手続補正３】
【補正対象書類名】明細書
【補正対象項目名】００２５
【補正方法】変更
【補正の内容】
【００２５】
本願の第２の発明は、さらに、同一の局を選局する複数の選局手段と、前記複数の選局手段に共通の単一の局部発振手段と、を備えることを特徴とする。


【手続補正４】
【補正対象書類名】明細書
【補正対象項目名】００２６
【補正方法】変更
【補正の内容】
【００２６】
本願の第３の発明は、前記可変遅延手段は、誘電体素子で構成され、電圧制御で誘電率を変化させることを特徴とする。


【手続補正５】
【補正対象書類名】明細書
【補正対象項目名】００２７
【補正方法】変更
【補正の内容】
【００２７】
本願の第４の発明は、さらに、前記複数のアンテナからの各ブランチ信号をＤＦＴ前に合成し、ＤＦＴ後の信号対ノイズ比が最大になるように重み係数を求める係数計算手段を備えることを特徴とする。


【手続補正６】
【補正対象書類名】明細書
【補正対象項目名】００２８
【補正方法】変更
【補正の内容】
【００２８】
本願の第５の発明は、前記係数計算手段は、前記複数のアンテナからの受信信号の共分散行列を求め、その行列の最大の固有値に対する固有ベクトルを重み係数とすることを特徴とする。
【手続補正書】
【提出日】平成16年12月3日(2004.12.3)
【手続補正１】
【補正対象書類名】明細書
【補正対象項目名】００８４
【補正方法】変更
【補正の内容】
【００８４】
得られたコーンスープを試験例１と同一の方法により試験した結果、噴きこぼれ現象発生までに要した時間は４０秒であり、内容物は６６℃に加熱されており、６２〜６５℃の飲食適温では噴きこぼれ現象が発生しないことが確認された。
【手続補正２】
【補正対象書類名】明細書
【補正対象項目名】００８９
【補正方法】変更
【補正の内容】
【００８９】
得られた味噌汁を試験例１と同一の方法により試験した結果、噴きこぼれ現象発生までに要した時間は６０秒であり、内容物は８７℃に加熱されており、６２〜６５℃の飲食適温では噴きこぼれ現象が発生しないことが確認された。
【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
餌バケツ内に縦方向に挿入設置されるコマセ切りのための硬質ボードと、該硬質ボードを挿入設置状態において餌バケツ内に脱着可能に取り付け固定するための手段とを備えていることを特徴とするコマセ切りボード。
【請求項２】
餌バケツの一側壁の内面に沿って挿入設置される硬質ボードを具備し、該硬質ボードの上端部には、上記一側壁の上端部に掛け止めするためのフック部が備えられていることを特徴とする請求項１記載のコマセ切りボード。
【請求項３】
フック部は縦長であり、一側壁の上端部に対する掛け止め深さを調整することにより、餌バケツの寸法差による一側壁の高さに対処できる構成になっていることを特徴とする請求項２記載のコマセ切りボード。
【請求項４】
硬質ボードが上記一側壁とほぼ同形同大であり、上端部のフック部は縦長で一側壁の上端部に対し浅い掛け止め位置と深い掛け止め位置とを選択でき、浅い掛け止め位置の時は硬質ボードを一側壁に対し垂直設置がまた深い掛け止め位置の時は傾斜設置が可能な構成になっていることを特徴とする請求項２記載のコマセ切りボード。
【請求項５】
フック部が逆Ｕ字状であり、一側壁への掛け止め状態において、該一側壁を保有バネの働きで挟持できる構成になっていることを特徴とする請求項２乃至４のいずれかに記載のコマセ切りボード。
【請求項６】
請求項１乃至５のいずれかに記載のコマセ切りボードを備えた餌バケツ。
【請求項７】
側壁部が柔軟シートから構成された餌バケツにおいて、側壁部の一部領域にコマセ切りのための硬質ボード部が一体に備えられていることを特徴とする餌バケツ。
【請求項８】
餌バケツは短辺側の側壁部と長辺側の側壁部とを有する平面視矩形状であり、前記硬質ボード部は短辺側の側壁部の少なくとも一方側に備えられている請求項７記載の餌バケツ。
【手続補正書】
【提出日】平成16年9月22日(2004.9.22)
【手続補正１】
【補正対象書類名】明細書
【補正対象項目名】００３２
【補正方法】変更
【補正の内容】
【００３２】
信号発生部20は、システム制御部18からの制御に応じてシステムクロックを発振器により発生する。信号発生部20は、このシステムクロックをタイミング信号供給部22および信号処理部36に供給する。また、システムクロックは、たとえばシステムバス16を介してシステム制御部18の動作タイミングの基準としても供給される。そして、本実施例で信号発生部20は、信号処理部36に供給される混合された信号電荷を電圧信号に変換された画素データをサンプリングするサンプリング信号が供給されている。また、信号発生部20は、サンプリングした画素データを用いた演算処理を行う際のクロックや信号処理に用いるタイミング信号も信号処理部36に供給している（図６を参照）。
【手続補正２】
【補正対象書類名】明細書
【補正対象項目名】００３８
【補正方法】変更
【補正の内容】
【００３８】
すなわち、これは、水平転送に際して供給された信号電荷の位置関係に着目すると、水平転送パケットが従来の予備の撮像時や本撮像時の２パケットに比べて３倍の６パケット数を単位に扱うことになる。信号電荷を有する間の転送電極構造がたとえば３倍の電極数を扱うことを意味する。タイミング信号発生部22a はこの電極数に応じて初めの位相駆動を保ちながら、信号電荷が移動するように考慮した水平転送タイミング信号を生成し、供給する。後述する水平転送路HRが６電極構造を用いていることおよび２相駆動を行っていることから６パケットの半分、すなわち３パケットずつ同相にするタイミングが有効である。より具体的な説明は後段で行う。
【手続補正３】
【補正対象書類名】明細書
【補正対象項目名】００５５
【補正方法】変更
【補正の内容】
【００５５】
２ライン同時読出しを行って水平転送路HRに信号電荷を供給すると、水平転送路HRには、色“B,_,G,-,R_,G,_,B,_,G,・・・”の位置関係に信号電荷が配されることになる。ここで、“_ ”は、信号電荷のない空きパケットを表し、“-"はポテンシャル障壁を表している。水平転送路HRは、実際６電極構造である。
【手続補正４】
【補正対象書類名】明細書
【補正対象項目名】００５７
【補正方法】変更
【補正の内容】
【００５７】
次に、水平駆動信号H1〜H5と水平駆動信号H6との位相関係が逆になることから、ポテンシャル井戸は図４(d) に示すように１つのパケットにまとめられる。これにより、水平転送路HRには、混合した信号電荷が“(BGR)-,-,-,-,-,(GBG),-,-,-,-,-,(RGB),-,-,-,-,-,(GRG),-,-,-,-,-,(BGR),-,-,-・・・ ”という位置関係で混合される。ここで、この信号電荷の配置を見ると、６パケット毎に信号電荷があるので、以後、この１パケットの信号電荷を１周期で６電極分矢印A の方向へ転送させる水平駆動信号を供給する。供給する水平駆動信号（第３の水平駆動単位信号）としては、たとえば、上述した図４(a), (b)を供給してもよい。通常６相駆動では1/6 周期で１電極分、（１パケット分）転送されるから１周期では６電極（パケット）分の転送ができるので、６相駆動と同等の転送レートで転送が行われることがわかる。元々行っていた２相駆動を６相駆動と同等の転送ができることから、読出し周波数を変えることなく転送レートは３倍に上がることになる。また、供給する周波数を上げて６相駆動させても同様の転送を行わせることができる。
【手続補正５】
【補正対象書類名】明細書
【補正対象項目名】００８３
【補正方法】変更
【補正の内容】
【００８３】
【数６】
R ＝(X＋2Y−2Z) ／3                                   ・・・(6a)
G ＝(X＋Z −Y)／3                                     ・・・(6b)
B ＝(Z＋2Y−2X) ／3                                   ・・・(6c)
により得られる。算出した三原色RGB はガンマ補正部360bで補正が施される。さらに補正したRGB データが色差マトリクス部362bで三原色RGB データに対して通常マトリクス変換に用いる係数を用いて輝度データY 、および色差データ(R-Y), (B-Y)を容易に生成する。
【手続補正６】
【補正対象書類名】明細書
【補正対象項目名】００８７
【補正方法】変更
【補正の内容】
【００８７】
そして、読み出した画素データが混色を示しているので、混色による画像の品質低下を改善するように信号処理を施して近似またはまたは所定の範囲内での正確な信号の復元することにより、モニタに供給するムービー表示の画像を高画質に提供できる。したがって、高画素化された撮像部を有しても予備の撮像時に高画質な画像を迅速に提供できるので、ユーザにカメラ操作性の違和感を与えることなく操作させることができる。